(57)【特許請求の範囲】
【請求項１】
周縁に操作口を備え、操作口の下部位置に、操作口と直下で連通する上下方向の案内空隙と、該案内空隙と操作口下方で連通する前後方向の案内空隙とが形成された、蓋受枠に被着されるマンホール蓋と、
前記操作口を下方から遮蔽する遮蔽蓋部と、遮蔽蓋部の左右両端から下方延成された一対の側板部と、該側板部の下端から上部後縁に向けて傾斜する傾斜縁とを備え、マンホール蓋の上下方向の案内空隙内に昇降可能に保持されてなる昇降体と、
マンホール蓋の前後方向の案内空隙内に前後方向へ進退可能に嵌装されるものであり、蓋受枠の内面に形成された係止面に下方から対向する係合端と、左右側縁部に形成されて前記昇降体の傾斜縁と同方向に傾斜して該傾斜縁を支持する傾斜受縁とを備え、定常時は付勢手段により蓋受枠側に付勢されて係合端が係止面に下方から対向するロック位置に保持され、かつ、昇降体の押し下げ操作による傾斜縁の押圧作用を介して待避位置に後退する前後方向に進退可能なロック片と
を備えてなることを特徴とするマンホール蓋のロック装置。
【請求項２】
遮蔽蓋部に、操作口の平面形状と略等しい平面形状を呈し、該操作口に下方から嵌入されてマンホール蓋の上面と略面一となる凸面を上方突成したことを特徴とする請求項１に記載したマンホール蓋のロック装置。
【請求項３】
ロック片の後端下部に、蓋受枠側への付勢状態で係合端側の上方傾斜を可能とする切欠き部を設けたことを特徴とする請求項１又は請求項２に記載したマンホール蓋のロック装置。
【発明の詳細な説明】
【０００１】
【発明の属する技術分野】
本発明は、マンホール蓋の無用開放を防止するためのロック装置に関する。
【０００２】
【従来の技術】
マンホールの開口部を遮蔽するマンホール蓋は、開口部に配設された蓋受枠に被着されるが、該マンホール蓋がいたずら等によって無用に開放されると、開放されたマンホールに人や自動車のタイヤ等が落ちて重大事故を惹起する虞がある。このため、マンホール蓋の無用開放を防止するためのロック装置が種々提案されている。
【０００３】
図１１，図１２に、本願出願人が実公平４ー４０４５号公報において提案した従来のロック装置を示す。これは、蓋受枠ａに被着されるマンホール蓋ｂの、その周縁に操作口ｃを形成する一方、該操作口ｃ側に突出するレバー部ｅと、下方に垂下する係止杆部ｆとを備えてなる回動片ｇを、前記操作口ｃの側傍下面に回動軸ｄを介して回動可能に係止するとともに、該回動片ｇに付装したバネｈにより、前記レバー部ｅを上方付勢して、操作口ｃに下方から臨む位置に保持し、さらに、蓋受枠ａの内面に形成した係止面ｊに下方から対向する係合端ｋを備え、かつ前記係止杆部ｆが挿入する連係孔ｍが形成されてなるロック片ｎを、前後方向へ移動可能にマンホール蓋ｂの下面に支持したものである。
【０００４】
そして、上記ロック装置にあって、定常時は、係止杆部ｆに連係されたロック片ｎを、バネｈの付勢によって、その係合端ｋが蓋受枠ａの係止面ｊに下方から対向するロック位置に保持することにより、このままマンホール蓋ｂを持ち上げても、係合端ｋが係止面ｊに当接してその開放を不能とし、また、マンホール蓋ｂを開放する場合には、バール等の工具を上方から操作口ｃに挿入して、レバー部ｅを押し下げることにより、回動片ｇがバネｈの付勢に抗して回動し、該回動片ｇの係止杆部ｆに連係されているロック片ｎを待避位置に後退させて、ロック状態を解除し得るようになっている。
【０００５】
【発明が解決しようとする課題】
ところで、近年、マンホール蓋にあっては、下水処理施設における処理能力の問題に絡み、降雨時に、マンホール蓋から下水管に流入する雨水量を限りなく少なくし得るものが要望されている。而して、上述した従来構成のロック装置を備えたマンホール蓋ｂにあっては、回動片ｇを回動させるために、該回動片ｇのレバー部ｅと、蓋受枠ａの内周縁との間に間隙ｓ（図１１参照）が必要であり、レバー部ｅによって操作口ｃを遮蔽することができない。このため、該間隙ｓから雨水が容易に流入してしまい、かかる構成ではマンホール蓋ｂから流入する雨水量を限りなく少なくするという要望に対応することができなかった。また、前記間隙ｓからマンホール内の臭気が漏れるという問題もあり、さらに、操作口ｃと、その下部に位置するレバー部ｅとによって凹所ｐが形成されることにより、該凹所ｐに泥土が溜り易く、固結すると、その除去に手間が掛るといった問題点もあった。
【０００６】
本発明は、かかる従来構成の問題点を解消し得るマンホール蓋のロック装置を提供することを目的とするものである。
【０００７】
【課題を解決するための手段】
本発明は、周縁に操作口を備え、操作口の下部位置に、操作口と直下で連通する上下方向の案内空隙と、該案内空隙と操作口下方で連通する前後方向の案内空隙とが形成された、蓋受枠に被着されるマンホール蓋と、
前記操作口を下方から遮蔽する遮蔽蓋部と、遮蔽蓋部の左右両端から下方延成された一対の側板部と、該側板部の下端から上部後縁に向けて傾斜する傾斜縁とを備え、マンホール蓋の上下方向の案内空隙内に昇降可能に保持されてなる昇降体と、
マンホール蓋の前後方向の案内空隙内に前後方向へ進退可能に嵌装されるものであり、蓋受枠の内面に形成された係止面に下方から対向する係合端と、左右側縁部に形成されて前記昇降体の傾斜縁と同方向に傾斜して該傾斜縁を支持する傾斜受縁とを備え、定常時は付勢手段により蓋受枠側に付勢されて係合端が係止面に下方から対向するロック位置に保持され、かつ、昇降体の押し下げ操作による傾斜縁の押圧作用を介して待避位置に後退する前後方向に進退可能なロック片と
を備えてなることを特徴とするマンホール蓋のロック装置である。
【０００８】
かかる構成にあって、ロック片が付勢手段により蓋受枠側に付勢されたロック位置にあるとき、ロック片の傾斜受縁に傾斜縁が支持された昇降体は、該傾斜受縁による傾斜縁の押圧作用を介して上昇した遮蔽位置に保持され、該昇降体の遮蔽蓋部によって操作口を下方から遮蔽する状態が得られる。これにより、操作口からの雨水の流入を防止することができ、また、マンホール内の臭気の漏出を防止することができる。ここで、遮蔽蓋部による操作口の遮蔽状態は、完全密封状態ではなく、昇降体を昇降作動させるために必要な多少の隙間は存在する。従って、本発明にあって、操作口からの雨水の流入や臭気の漏出を防止するとは、雨水の流入量や臭気の漏出量が極めて少ないことを意味するものである。
【０００９】
また、前記構成にあって、遮蔽蓋部に、操作口の平面形状と略等しい平面形状を呈し、該操作口に下方から嵌入されてマンホール蓋の上面と略面一となる凸面を上方突成する構成が提案され得る。このように、遮蔽蓋部に、操作口に嵌入される凸面を設けることにより、操作口内への泥土の侵入及びその固結を防止することができる。
【００１０】
さらに、前記構成にあって、ロック片の後端下部に、蓋受枠側への付勢状態で係合端側の上方傾斜を可能とする切欠き部を設ける構成が提案され得る。このように、ロック片の後端下部に切欠き部を設けることにより、開放したマンホール蓋を蓋受枠に被着するに際して、該マンホール蓋を蓋受枠内に落し込むと、蓋受枠に当接するロック片の係合端側を上方傾斜させることができ、該ロック片が蓋受枠に引っ掛かることなく、マンホール蓋を自重により蓋受枠に容易に被着することができる。
【００１１】
【発明の実施の形態】
本発明の第一実施例を、図１〜図６について説明する。
マンホールの開口部に配設される蓋受枠１は、図１に示すように、環状に形成されており、該蓋受枠１には、蓋受枠１の内径に略等しい外径で円形に形成されたマンホール蓋２が着脱可能に被着される。この蓋受枠１の内周縁は、図２に示すように、下狭まり状に傾斜するテーパ縁３となっており、また、マンホール蓋２の外周縁も同方向に傾斜するテーパ縁となっている。これにより、蓋受枠１にマンホール蓋２を内嵌すると、相互のテーパ縁が当接して隙間が生じることがなく、かつ蓋受枠１のテーパ縁３によってマンホール蓋２が支持されて、該マンホール蓋２の下落を阻止し得るようになっている。尚、マンホール蓋２には、従来品に見られるような表裏面を貫通する通気用の小孔は一切穿設されない。
【００１２】
前記マンホール蓋２の周縁の一部には操作口４が形成されており、該操作口４の下部位置に後述するロック装置Ａが配設されている。また、該操作口４の１８０°異なる位置には、マンホール蓋２を蓋受枠１に連結する連結装置Ｂが配設されている。
【００１３】
この連結装置Ｂは、図２に示すように、マンホール蓋２の周縁下面に支軸５を介して垂持された略Ｓ字形のロックレバー６と、蓋受枠１の内周縁から突成された係止部７とからなり、該係止部７に形成された径方向の長孔８に前記ロックレバー６を挿通させるとともに、その下端で両側方に突出する抜け止め杆９によって該長孔８からの抜け出しを不能とし、これによってマンホール蓋２を蓋受枠１に連結するようにしている。また、該ロックレバー６には、その自重による垂下状態で、係止部７の下縁に下方から対向する突起１０が突成されており、マンホール蓋２のロックレバー６の直上位置周辺を持ち上げても、突起１０が係止部７の下縁に当接して、正規の開放操作以外の操作によるマンホール蓋２の開放を防止するようになっている。
【００１４】
次に、本発明の要部を図３〜図５について説明する。
マンホール蓋２の周縁に形成された操作口４の下部位置には、ロック装置Ａのホルダー部材１１が、マンホール蓋２の下面に一体形成されている。該ホルダー部材１１は、図３，図４に示すように、操作口４の両側に垂設された径方向に沿う左右一対の側壁１２，１２を備えており、該側壁１２，１２間にはその後部寄りの中段位置にＬ形のガイド板部１３が差し渡されている。また、該側壁１２，１２の前部には、マンホール蓋２の周壁２ａと一体を成す前壁１４，１４が連成されており、該前壁１４，１４間には、上部の操作口４と同一幅の開口部１５が該操作口４に連続させて上下方向に開口されている。また、前壁１４，１４の内壁面１６，１６と、これに対向するガイド板部１３の前壁面１７は、図４に示すように、蓋受枠１のテーパ縁３と平行な傾斜面となっている。そして、この前壁１４，１４の内壁面１６，１６と、ガイド板部１３の前壁面１７と、左右の側壁１２，１２の内壁面とによって前後左右を囲繞された上下方向の案内空隙１９が形成されている。
【００１５】
また、ホルダー部材１１の下部には、図４に示すように、カバー板２０がボルト２１，２１によって固定される。該カバー板２０は、図３に示すように、その前端の左右両側に係止突起２２，２２が上方突成され、また、後端には前方に突出するバネ受け突起２３を備えたバネ受け壁２４が上方突成されており、さらに、カバー板２０の左右側縁には、ホルダー部材１１の側壁１２，１２の下面に形成された螺子孔２５，２５に一致する位置に、ボルト２１，２１の挿通孔２６，２６が穿設されている。そして、前記係止突起２２，２２を、ホルダー部材１１の側壁１２，１２の下面前部に形成されている切欠部２７，２７に係合するとともに、バネ受け壁２４の前側縁２８，２８を、ホルダー部材１１の側壁１２，１２の後縁２９，２９に係合させた状態で、挿通孔２６，２６に挿通したボルト２１，２１をホルダー部材１１の螺子孔２５，２５に夫々螺合することにより、カバー板２０をホルダー部材１１に固定するようにしている。そして、図４に示すように、カバー板２０がホルダー部材１１に固定された状態にあって、該カバー板２０の上面と、左右の側壁１２，１２の内壁面と、ガイド板部１３の下壁面３０とによって上下左右を囲繞された前後方向の案内空隙３１が形成されるようになっている。
【００１６】
前記案内空隙１９内には、図５に示すように、昇降体３２が昇降可能に嵌装される。該昇降体３２は、図３に示すように、その上部に前記操作口４を下方から遮蔽する遮蔽蓋部３３を備え、かつ該遮蔽蓋部３３の左右両端から下方延成された一対の側板部３４，３４を夫々備えている。遮蔽蓋部３３には、操作口４の平面形状と略等しい平面形状の凸面３５が上方突成されており、該凸面３５は操作口４に下方から嵌入された状態でマンホール蓋２の上面と略面一となるように、その高さ寸法が設定されている。また、昇降体３２の下部後面には、下端から上部後端に向けて傾斜する傾斜縁３６が形成されている。即ち、前記側板部３４，３４に、その下端から上部後端に向けて傾斜する傾斜面を夫々形成することにより、該傾斜面を前記傾斜縁３６としている。また、側板部３４，３４の前端面３７，３７と、側板部３４，３４及び遮蔽蓋部３３の後端面３８は、蓋受枠１のテーパ縁３と平行な傾斜面となっており、さらに、遮蔽蓋部３３に突成された凸面３５の前後の立上がり面も蓋受枠１のテーパ縁３と平行な傾斜面となっている。これにより、案内空隙１９内に嵌装された昇降体３２が、蓋受枠１のテーパ縁３と平行に昇降可能となっている。
【００１７】
また、前記案内空隙３１内には、図５に示すように、ロック片３９が前後方向に進退可能に嵌装される。該ロック片３９は、前端に、蓋受枠１の内面に形成された係止面４０に下方から対向する係合端４１を備えており、さらに前記昇降体３２の傾斜縁３６と同方向に傾斜して該傾斜縁３６を支持する傾斜受縁４２を備えている。即ち、該傾斜受縁４２は、図３に示すように、ロック片３９の左右側縁部に配設されており、昇降体３２の傾斜縁３６として形成された側板部３４，３４の傾斜面を乗載し得るようになっている。また、ロック片３９の後端には、前記バネ受け突起２３に対向するバネ受け突起４３が後方に突設されており、両バネ受け突起２３，４３に両端を外嵌したコイルバネ４４が圧縮状態でロック片３９の後端とバネ受け壁２４との間に介装されている。そして、このコイルバネ４４からなる付勢手段によって、ロック片３９を蓋受枠１側に付勢し、該ロック片３９を、図５に示すように、前端の係合端４１が蓋受枠１の係止面４０に下方から対向するロック位置に保持するようにしている。
【００１８】
また、このようにロック片３９を蓋受枠１側に付勢することにより、該ロック片３９の傾斜受縁４２に傾斜縁３６が乗載されている昇降体３２を、傾斜受縁４２による傾斜縁３６の押圧作用を介して上昇させて、遮蔽蓋部３３が操作口４を下方から遮蔽する遮蔽位置に保持させるようになっている。
【００１９】
次に、かかる構成からなるロック装置Ａの組付け手順について説明する。図３に示す分解状態からロック装置Ａを組付けるには、まず、マンホール蓋２を裏返した状態で、ホルダー部材１１の案内空隙１９内に、上下を反転させた昇降体３２を落し込んで装入する。次に、カバー板２０上にロック片３９を載置し、コイルバネ４４の両端をバネ受け突起２３，４３に外嵌させて、該コイルバネ４４をロック片３９の後端とカバー板２０のバネ受け壁２４との間に介装する。そして、該コイルバネ４４を押し縮めるようにロック片３９を後退させた状態でカバー板２０とロック片３９を保持し、この状態で上下を反転させてホルダー部材１１に上方からあてがう。この時、カバー板２０の係止突起２２，２２と、バネ受け壁２４の前側縁２８，２８を、ホルダー部材１１の側壁１２，１２の切欠部２７，２７と、該側壁１２，１２の後縁２９，２９とに夫々係合させることにより、カバー板２０が前後方向に移動不能に位置決めされ、該カバー板２０の挿通孔２６，２６と、ホルダー部材１１の螺子孔２５，２５とを簡単に一致させることができる。また、上記のようにコイルバネ４４を押し縮めるようにロック片３９を後退させた状態でホルダー部材１１にあてがうことにより、該ロック片３９の狭幅状の前端部分を、既に装入されている昇降体３２の左右の側板部３４，３４間に簡単に挿入することができ、この状態でロック片３９から手を離すと、コイルバネ４４の付勢によってロック片３９が前方に押出されて、該ロック片３９の傾斜受縁４２が昇降体３２の傾斜縁３６に当接する状態が得られる。然る後、ボルト２１，２１を挿通孔２６，２６に挿通して螺子孔２５，２５に夫々螺合することにより、カバー板２０がホルダー部材１１に固定され、組付けが完了する。これにより、ロック装置Ａの組付けを極めて容易に行うことができる。
【００２０】
ここで、従来構成のロック装置（図１１，図１２参照）にあっては、その組付けに際して、回動片ｇの左右両側の回動軸ｄ，ｄにコイル状のバネｈ，ｈを遊嵌した状態で、該回動軸ｄ，ｄを、マンホール蓋ｂに形成されている収納凹部ｔ，ｔ内に、マンホール蓋ｂの周縁部から奥方まで嵌入しなければならないのであるが、この時、前記バネｈ，ｈは弾発力が生じる状態となっているため、該バネｈ，ｈの一端がマンホール蓋ｂの下面に引っ掛かり、摺動抵抗が生じ、このため、回動片ｇの嵌着操作を困難なものにしていた。これに対して、本発明のロック装置Ａは、上述のように、その組付けを極めて容易に行い得るものとなっている。
【００２１】
かかる構成にあって、ロック装置Ａは、定常時には、ロック片３９がコイルバネ４４からなる付勢手段によって蓋受枠１側に付勢されていることにより、図５に示すように、係合端４１が蓋受枠１の係止面４０に下方から対向するロック位置に押出されている。これにより、マンホール蓋２を持ち上げても、係合端４１が係止面４０に当接するため、いたずら等による無用の開放が防止される。ここで、ロック片３９の係合端４１と蓋受枠１の係止面４０との間には、適宜のクリアランスが設けられていることにより、マンホール内にガス等の内圧が生じた場合において、マンホール蓋２の上動によるガス抜きを可能とし、蓋受枠１の損傷を防止し得るようにしている。
【００２２】
そして、上記のように、ロック片３９がコイルバネ４４からなる付勢手段により蓋受枠１側に付勢されたロック位置にあるとき、ロック片３９の傾斜受縁４２に傾斜縁３６が支持された昇降体３２は、該傾斜受縁４２による傾斜縁３６の押圧作用を介して上昇して遮蔽位置に保持されていることにより、該昇降体３２の遮蔽蓋部３３によって操作口４を下方から遮蔽する状態が得られる。これにより、操作口４からの雨水の流入を防止することができ、また、マンホール内の臭気の漏出を防止することができる。さらに、遮蔽蓋部３３に上方突成された凸面３５が、マンホール蓋２の上面と略面一の状態で操作口４に嵌入されていることにより、該操作口４内への泥土の侵入及びその固結を防止することができる。
【００２３】
また、マンホール蓋２を開放する場合には、図６に示すように、先端に略Ｔ字形の操作頭部４５を備えた専用工具４６を操作口４に挿入して、昇降体３２を押し下げると、該昇降体３２の傾斜縁３６による傾斜受縁４２の押圧作用によって、ロック片３９がコイルバネ４４の付勢に抗して待避位置に後退し、係合端４１の、係止面４０との対向状態が解除される。そして、この解除状態を維持したまま、前記専用工具４６の操作頭部４５を略９０°回動させて、その両端部を操作口４の口縁裏面に当接させて引き上げることにより、マンホール蓋２のロック装置Ａがある周縁部を浮上させることができる。然る後、マンホール蓋２を連結装置Ｂと反対側の外方に引張し、ロックレバー６を引出してそのロックを解除した状態で、ロックレバー６を中心にしてマンホール蓋２を水平状に旋回させる所定の操作により、マンホール蓋２を開放することができる。
【００２４】
尚、マンホール蓋２を再度蓋受枠１に被着する場合には、連結装置Ｂ側の周縁部を先に嵌め、次にロック装置Ａ側の周縁部を蓋受枠１内に落し込むと、その降下に伴なって、ロック片３９の係合端４１の先端下面に形成されている曲面状の面取り部４７が蓋受枠１のテーパ縁３によって押圧されて、ロック片３９が待避位置に後退し、係合端４１がテーパ縁３を通過すると、コイルバネ４４の付勢によってロック片３９が前方に押出されて、係合端４１が係止面４０に下方から対向するロック位置に自動的に復帰する。また、このようなロック状態にあって、昇降体３２は、ロック片３９の傾斜受縁４２による傾斜縁３６の押圧作用を介して上昇して遮蔽位置に保持されることとなる。
【００２５】
図７，図８は、第二実施例を示し、この実施例は、前記第一実施例において昇降体３２の遮蔽蓋部３３に形成されていた凸面３５（図３参照）を除去したものである。その他の構成は第一実施例と同じであり、同一部分に同一符号を付して重複する説明を省略する。この構成にあっても、ロック片３９がコイルバネ４４からなる付勢手段により蓋受枠１側に付勢されたロック位置にあるとき、図７に示すように、昇降体３２の遮蔽蓋部３３によって操作口４を下方から遮蔽することができる。これにより、操作口４からの雨水の流入を防止することができ、また、マンホール内の臭気の漏出を防止することができる。
【００２６】
図９，図１０は、第三実施例を示し、この実施例は、前記第一実施例で説明したロック片３９の後端下部に、蓋受枠１側への付勢状態で係合端４１側の上方傾斜を可能とする切欠き部４８を設けたものである。該切欠き部４８は、ロック片３９の後端下部を直線状又は曲線状に面取り加工することにより形成されており、図９イに示した例では、ロック片３９の下面側における面取り加工の始点が、ガイド板部１３の前壁面１７と下壁面３０との稜部４９を通る垂線上に位置するようにしている。これにより、後述するように、稜部４９を支点としてロック片３９の係合端４１側を上方傾斜させ得るようになっている。尚、図１０に示すように、ロック片３９の上面と、ガイド板部１３の下壁面３０との間に適宜の隙間ｕを設けるようにすれば、面取り加工の始点が前記稜部４９を通る垂線より後方であってもロック片３９の係合端４１側を上方傾斜させ得るものとなる。その他の構成は第一実施例と同じであり、同一部分に同一符号を付して重複する説明を省略する。
【００２７】
かかる構成にあって、開放したマンホール蓋２を再度蓋受枠１に被着するに際して、連結装置Ｂ側（図２参照）の周縁部を先に嵌め、次にロック装置Ａ側の周縁部を蓋受枠１内に落し込むと、上述したように、通常はロック片３９の係合端４１の先端下面に形成されている曲面状の面取り部４７が蓋受枠１のテーパ縁３によって押圧されて、ロック片３９が待避位置に後退するのであるが、摺動部での発錆や砂利の咬み込み等の何らかの作動抵抗により、ロック片３９が円滑に後退せず、ロック片３９の係合端４１が蓋受枠１のテーパ縁３に引っ掛かることがある。このような場合において、ロック片３９の後端下部に、係合端４１側の上方傾斜を可能とする切欠き部４８が設けられていることにより、図９ロに示すように、稜部４９に当接するロック片３９の上面を支点として、該ロック片３９の係合端４１側が上方傾斜し、この状態でテーパ縁３を通過させることができる。そして、係合端４１がテーパ縁３を通過すると、コイルバネ４４の付勢によってロック片３９が前方に押出されて、図９イに示すように、係合端４１が係止面４０に下方から対向するロック位置に自動的に復帰する。これにより、ロック片３９が蓋受枠１に引っ掛かることなく、マンホール蓋２を自重により蓋受枠１に容易に被着することができる。
【００２８】
【発明の効果】
本発明は、上述のように、マンホール蓋２の操作口４を下方から遮蔽する遮蔽蓋部３３と、下部後面に下端から上部後端に向けて傾斜する傾斜縁３６とを備えた昇降体３２を、マンホール蓋２の操作口４の下部位置に昇降可能に設ける一方、蓋受枠１の内面に形成された係止面４０に下方から対向する係合端４１と、前記昇降体３２の傾斜縁３６と同方向に傾斜して該傾斜縁３６を支持する傾斜受縁４２とを備え、前後方向に進退可能に設けてなるロック片３９を、定常時は付勢手段により蓋受枠１側に付勢して係合端４１が係止面４０に下方から対向するロック位置に保持し、かつ、前記昇降体３２の押し下げ操作による傾斜縁３６の押圧作用を介して待避位置に後退させるようにしたマンホール蓋のロック装置であるから、ロック片３９が定常時のロック位置にあるとき、昇降体３２は、ロック片３９の傾斜受縁４２による傾斜縁３６の押圧作用を介して上昇して遮蔽位置に保持され、該昇降体３２の遮蔽蓋部３３によって操作口４を下方から遮蔽することができる。これにより、操作口４からの雨水の流入を防止することができ、また、マンホール内の臭気の漏出を防止することができる。
【００２９】
また、前記遮蔽蓋部３３に、操作口４の平面形状と略等しい平面形状を呈し、該操作口４に下方から嵌入されてマンホール蓋２の上面と略面一となる凸面３５を上方突成すれば、上記作用に加え、操作口４内に泥土が溜ることがなく、固結した泥土の除去に手間が掛るという従来の不具合を解消することができる。
し得る優れた効果が得られる。
【００３０】
さらに、ロック片３９の後端下部に、蓋受枠１側への付勢状態で係合端４１側の上方傾斜を可能とする切欠き部４８を設ければ、開放したマンホール蓋２を蓋受枠１に被着するに際して、該マンホール蓋２を蓋受枠１内に落し込むと、蓋受枠１に当接するロック片３９の係合端４１側を上方傾斜させることができ、該ロック片３９が蓋受枠１に引っ掛かることなく、マンホール蓋２を自重により蓋受枠１に容易に被着し得る等の優れた効果がある。
【図面の簡単な説明】
【図１】蓋受枠と、該蓋受枠に被着された第一実施例のマンホール蓋の平面図である。
【図２】第一実施例にかかるロック装置を備えたマンホール蓋の施工状態を示す側断面図である。
【図３】同上のロック装置の分解斜視図である。
【図４】ホルダー部材とカバー板の組付け状態を示す側断面図である。
【図５】第一実施例にかかるロック装置の拡大側断面図である。
【図６】同上のロック装置の作用状態を示す拡大側断面図である。
【図７】第二実施例にかかるロック装置の拡大側断面図である。
【図８】同上のロック装置を構成する昇降体の斜視図である。
【図９】イは、第三実施例にかかるロック装置の拡大側断面図、ロはその作用状態を示す拡大側断面図である。
【図１０】第三実施例にかかるロック装置の他の構成を示す拡大側断面図である。
【図１１】従来構成のロック装置の拡大側断面図である。
【図１２】同上のロック装置部分を示すマンホール蓋の底面図である。
【符号の説明】
Ａ  ロック装置
１  蓋受枠
２  マンホール蓋
４  操作口
３２  昇降体
３３  遮蔽蓋部
３５  凸面
３６  傾斜縁
３９  ロック片
４０  係止面
４１  係合端
４２  傾斜受縁
４４  コイルバネ（付勢手段）
４８  切欠き部
【図１】
0003901433.tif 000002
【図２】
0003901433.tif 000003
【図３】
0003901433.tif 000004
【図４】
0003901433.tif 000005
【図５】
0003901433.tif 000006
【図６】
0003901433.tif 000007
【図７】
0003901433.tif 000008
【図８】
0003901433.tif 000009
【図９】
0003901433.tif 000010
【図１０】
0003901433.tif 000011
【図１１】
0003901433.tif 000012
【図１２】
0003901433.tif 000013